(57)【要約】【課題】  アスペクト比の設定を容易にする。【解決手段】  ＣＰＵ１８は、再生モードでテレビジョン５０を検出すると、アスペクト比の設定が設定保存３４に保存済みか否かを判別する。設定が保存済みであれば、設定をロードし、設定内容に応じたフォーマットで再生映像を表示部２８及びテレビジョン５０に出力する。設定済みでなければ、アスペクト比テストパターン信号をテストパターン生成部３２に生成させ、表示部２８及びテレビジョン５０に供給して、テレビジョン５０の表示映像のアスペクト比が正しいか否かをユーザに確認してもらう。確認された内容で再生映像を表示部２８及びテレビジョン５０に出力する。【選択図】  図１
2007124275.tif 000002
【特許請求の範囲】
【請求項１】
外部映像表示装置に映像信号を出力する映像出力装置であって、
複数の異なるアスペクト比の映像信号を生成可能な映像信号生成手段と、
前記外部映像表示装置と接続する接続手段と、
前記外部映像表示装置において映像が所望のアスペクト比で表示されているか否かを確認するためのテストパターン映像を生成するテストパターン生成手段と、
所定トリガに応じて前記テストパターン生成手段によりテストパターン映像を生成し、前記外部映像表示装置に出力させる制御手段
とを具備することを特徴とする映像出力装置。
【請求項２】
更に、前記接続手段に前記外部映像表示装置が接続されたことを検出する接続検出手段を有し、
前記所定トリガが、前記接続検出手段による前記外部映像表示装置の前記接続手段への接続の検出であることを特徴とする請求項１に記載の映像出力装置。
【請求項３】
前記所定トリガが、前記外部映像表示装置に出力すべき映像のアスペクト比の変化であることを特徴とする請求項１に記載の映像出力装置。
【請求項４】
前記所定トリガが、前記外部映像表示装置に出力中の映像信号の記録形式の変化であることを特徴とする請求項１に記載の映像出力装置。
【請求項５】
更に、記録媒体から前記映像信号を再生する再生手段を有し、
前記制御手段は、記録媒体に記録される映像信号の再生中に前記外部映像表示装置との接続を検出した場合、前記テストパターンを出力するとともに前記映像信号の前記記録媒体からの再生を一時中断することを特徴とする請求項２乃至４の何れか１項に記載の映像出力装置。
【請求項６】
更に、映像およびメニュー画面を表示可能な表示部を有し、
前記制御手段は、前記テストパターン出力時には前記表示部にメニュー画面を表示し、前記外部映像表示装置に所望のアスペクト比で映像が表示されているか否かをユーザに確認及び前記メニュー画面で選択させ、選択した結果に応じて前記外部映像表示装置に対する映像出力設定を行うことを特徴とする請求項２乃至４の何れか１項に記載に映像出力装置。
【請求項７】
更に、映像出力の設定情報を保持する映像出力設定記録手段を有し、
前記制御手段は、前記映像出力設定を行った後に、前記設定情報を前記映像出力設定記録手段に記録し、再度外部機器との出力を検出した際に、前記映像出力設定記録手段より前記設定情報を読み出して映像出力設定を行うことを特徴とする請求項６に記載の映像出力装置。
【発明の詳細な説明】
【技術分野】
【０００１】
本発明は、複数のアスペクト比の映像を出力可能な映像出力装置に関し、より具体的には、映像ソースのアスペクト比に応じて、テレビ等の外部出力機器に適切な映像信号を出力する映像出力装置に関する。
【背景技術】
【０００２】
アスペクト比４：３の従来の映像に加えて、よりワイドな映像、例えばハイビジョン（商標）と同じアスペクト比１６：９の映像をＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式で受信し、表示可能なテレビジョンが普及してきている。また、ビデオカメラの分野では、通常のアスペクト比４：３のほかに、１６：９等のアスペクト比の映像を記録再生可能なビデオカメラも登場している（特許文献１）。
【０００３】
４：３のアスペクト比で映像を記録するＤＶ（ｄｉｇｉｔａｌ  ｖｉｄｅｏ）方式のビデオカメラがある。ＤＶ方式で１６：９のワイド映像を記録する場合、一般にレターボックス記録とスクイーズ記録が用いられる。レターボックス記録とは、図８に示すように、１６：９のワイド映像に上下に黒帯を付加し、４：３のアスペクト比で記録する方式である。また、スクイーズ記録とは、図９に示すように、１６：９のワイド映像を左右方向に圧縮し、４：３のアスペクト比で記録する方式である。
【０００４】
レターボックス記録された映像を１６：９のワイドテレビで表示する場合、通常の４：３の映像と同様に再生すると、図１０（ａ）のように画像が小さく表示されてしまう。表示装置によっては、この映像を、図１０（ｂ）のように画面全体に収まるように拡大して表示する。また、スクイーズ記録の映像をそのまま表示すると、横に圧縮された映像になってしまうが、アスペクト比１６：９の横長画面を持つ表示装置は、スクイーズ映像を、アスペクト比４：３から１６：９に変換して、即ち、横に伸ばして表示する。これにより、正しい寸法で被写体が表示される。
【０００５】
このように表示装置が入力映像信号に適応して好ましいアスペクト比で映像を表示するには、表示装置が、記録方式を識別できる必要がある。ＤＶ方式では、レターボックス記録／スクイーズ記録を示す情報も合わせて磁気テープに記録再生される。
【０００６】
映像のアスペクト比を再生装置から表示装置に伝送する方法として、映像信号にアスペクト比識別信号を重畳して送信する方法がある。その方法のひとつは、ＮＴＳＣ方式の輝度信号（Ｙ）の垂直ブランキング期間にＩＤ−１信号と呼ばれるアスペクト比識別信号を重畳する方法である。この方法は、日本電子機械工業会（ＥＩＡＪ）によって「アスペクト比の異なる映像信号の識別信号とその伝送方法（ＩＩ）」として規定されている。
【０００７】
もうひとつの方式は、Ｓ端子の色信号（Ｃ）にアスペクト比を識別するために所定のレベルの直流電圧を重畳する方法であり、同じく「アスペクト比の異なる映像信号の識別信号とその伝送方法」として規定されている。
【特許文献１】特開平０６−３３４９６１号公報
【発明の開示】
【発明が解決しようとする課題】
【０００８】
従来のビデオカメラでは、アスペクト比を設定する機能が備えられていたが、アスペクト比の設定値が保存されない。その結果、映像がテレビジョンに正しく表示されない場合、ユーザは、アスペクト比をその都度、設定しなければならなかった。このようなことは、ユーザに負担となり、面倒である。
【０００９】
また、アスペクト比識別情報の伝送方法が規定される以前に製造されたテレビでは、指定されたアスペクト比で映像を表示できない。
【００１０】
そこで、本発明は、上記の問題点を鑑み、より簡便にアスペクト比を設定できる映像再生装置を提示することを目的とする。
【課題を解決するための手段】
【００１１】
上記目的を達成するために、本発明に係る撮像装置は、外部映像表示装置に映像信号を出力する映像出力装置であって、複数の異なるアスペクト比の映像信号を生成可能な映像信号生成手段と、前記外部映像表示装置と接続する接続手段と、前記外部映像表示装置において映像が所望のアスペクト比で表示されているか否かを確認するためのテストパターン映像を生成するテストパターン生成手段と、所定トリガに応じて前記テストパターン生成手段によりテストパターン映像を生成し、前記外部映像表示装置に出力させる制御手段とを具備することを特徴とする。
【発明の効果】
【００１２】
本発明によれば、テストパターンでアスペクト比を確認したので、アスペクト比を比較することができ、ユーザの負担を軽減することができる。
【発明を実施するための最良の形態】
【００１３】
以下、図面を参照して、本発明の実施例を詳細に説明する。
【実施例１】
【００１４】
図１は、本発明の一実施例であるデジタルビデオカメラの概略構成ブロック図である。図１において、デジタルビデオカメラ１０は、撮像部１２、信号処理部１４、フレームメモリ１６、ＣＰＵ（中央演算処理装置）１８、ＤＶコーデック２０、テープＩ／Ｆ（インターフェース）２２、ＤＶテープ２４、操作部２６、表示部２８、ビデオ出力端子３０、テストパターン生成部３２及び設定保存部３４を具備する。
【００１５】
撮像部１２はＣＣＤセンサまたはＣＭＯＳセンサからなる撮像素子と、当該撮像素子の撮像面に被写体像を結像するレンズとを具備する。信号処理部１４はＡＧＣ（自動利得制御）、ガンマ変換及びＡ／Ｄ変換の機能を具備し、撮像部１２からの画像信号に周知の処理を施し、アナログ画像信号をデジタル信号に変換する。フレームメモリ１６は、信号処理部１４からの画像データをバッファリングする。
【００１６】
ＣＰＵ１８は、デジタルビデオカメラ１０の全体の制御を司る。ＤＶコーデック２０は、動画圧縮のためのＭＰＥＧ回路又はＭｏｔｉｏｎ  ＪＰＥＧ回路を具備し、画像データを圧縮符号化する。また、ＤＶコーデック２０は静止画圧縮のためのＪＰＥＧ回路も具備する。テープＩ／Ｆ２２は、ＤＶテープ２４のインターフェースであり、回転ドラム及び磁気ヘッドなどからなる。ＤＶテープ２４は、デジタルデータを記録する記録メディアであり、磁気テープからなる。
【００１７】
操作部２６は、再生スイッチ、停止スイッチ及び撮像スイッチ等を具備し、デジタルビデオカメラ１０の再生、停止及び撮像等をＣＰＵ１８に指示するのに使用される。
【００１８】
表示部２８は液晶パネル（不図示）を具備し、撮像部１２の撮影画像とＤＶテープ２４から再生された画像を表示可能である。また、表示部２８は、アスペクト比の設定画面を含むメニュー画面を表示する。
【００１９】
ビデオ出力端子３０は、テレビジョン５０と接続されており、テストパターン生成部３２で生成されるテストパターンが、ビデオ出力端子３０からテレビジョン５０に出力可能である。テレビジョン５０は、表示部２８と同様の映像を表示する。設定保存部３４は、テレビジョン５０等の外部表示装置に対する出力映像信号の設定情報を保存する。
【００２０】
デジタルビデオカメラ１０の記録動作と再生動作を説明する。撮像モードでは、撮像部１２は、被写体の画像信号を出力する。撮像部１２の出力画像信号は、信号処理部１４を介してフレームメモリ１６に書き込まれる。フレームメモリ１６に記憶される画像は、定期的に読み出され、表示部２８に印加される。ユーザは、表示部２８に表示される画像を見て、撮影対象を確認できる。
【００２１】
ユーザが撮像スイッチを押下すると、ＣＰＵ１８は、メモリ１６に格納される画像データを読み出してＤＶコーデック２０に印加する。動画の場合には、ＤＶコーデック２０は、メモリ１６に書き込まれるフレーム又はフィールド画像を順次、ＭＰＥＧ方式又はＭｏｔｉｏｎ  ＪＰＥＧ方式で圧縮符号化する。静止画の場合、ＤＶコーデック２０は、メモリ１６に記憶される画像をＪＰＥＧ方式で圧縮符号化する。ＤＶコーデック２０で圧縮された画像データは、テープ２２によりＤＶテープ２４に記録される。
【００２２】
再生モードで、ユーザが再生スイッチを押下すると、テープＩ／Ｆ２２を介してＤＶテープ２４から圧縮画像データが読み出され、ＤＶコーデック２０に転送される。ＤＶコーデック２０はＤＶテープ２４から読み出された圧縮画像データを伸長し、フレームメモリ１６に格納する。フレームメモリ１６に記憶される再生画像は、定期的に読み出され、表示部２８に印加される。表示部２８は、再生画像を表示する。ビデオ出力端子３０にテレビジョン５０が接続されている場合には、テレビジョン５０もまた、再生画像を表示する。
【００２３】
次に、本実施例の特徴である設定保存部３４の作用を説明する。図２は、再生状態で外部表示機器、本実施例では、テレビジョン５０の出力Ｉ／Ｆ３０への接続が検知されることで起動されるＣＰＵ１８の制御フローのフローチャートを示す。即ち、再生モードで再生スイッチが押下されることで、ＤＶテープの記録映像の再生が開始される。この再生状態でテレビジョン５０がビデオ出力端子３０に接続されていると、ＣＰＵ１８がこの接続を検知し、図２に示す制御フローを起動する。勿論、再生開始前に、テレビジョン５０がビデオ出力端子３０に接続されている場合には、ＣＰＵ１８は、再生開始と同時に、図２に示す制御フローを起動する。
【００２４】
ビデオ出力端子３０に接続するテレビジョン５０に対するアスペクト比に関する情報が設定保存部３４に保存されているかどうかを調べ（Ｓ１０）、保存されている場合には（Ｓ１０）、ＣＰＵ１８は、設定保存部３４に保存されている設定内容を取り込む（Ｓ１１）。
【００２５】
接続されるテレビジョン５０に対するアスペクト比に関する情報が設定保存部３４に保存されていない場合（Ｓ１０）、ＤＶテープ２４からの再生を一時停止し（Ｓ１６）、ユーザにアスペクト比の設定を促す（Ｓ１３）。ステップＳ１３の詳細な動作は、後述する。
【００２６】
ユーザによる設定の後、図３に示すような画面を表示部２８及び／又はテレビジョン５０に表示させて、設定内容を保存するかどうかをユーザに問合せる（Ｓ１４）。ユーザが保存を選択した場合には（Ｓ１４）、設定内容を設定保存部３４に保存して（Ｓ１５）、ＤＶテープ２４からの再生を再開し（Ｓ１６）、保存しなくて良い場合には、そのまま、ＤＶテープ２４からの再生を再開する（Ｓ１６）。
【００２７】
ステップＳ１１，Ｓ１６の後、設定内容に対応する映像方式（フォーマット）で再生映像をビデオ出力端子３０から出力する（Ｓ１７）。
【００２８】
ＤＶテープ２４から再生される映像のアスペクト比又は記録形式が変化した場合には（Ｓ１８）、ステップＳ１２以降を繰り返して、ユーザにアスペクト比を再設定してもらう。これは例えば、アスペクト比が４：３から１６：９に、又はその逆に変化した場合と、１６：９のワイド映像の記録形式がレターボックスからスクイーズ、又はその逆に変化した場合である。これらのケースでは、設定保存部３４に保存される設定情報を利用できないので、ステップＳ１２に戻り、ユーザに適切な設定内容を選択してもらう。
【００２９】
次に、アスペクト比設定（Ｓ１８）の詳細な動作を説明する。なお、本実施例では、図６に示すような内容の同じ映像信号（アスペクト比テストパターン信号）を表示部２８とテレビジョン５０の両方に印加し、それぞれの表示映像をユーザが観察して、テレビジョン５０に正しいアスペクト比の映像が表示されているか否かを確認してもらう。その確認結果を外部設定部３４に記憶する設定に反映させる。
【００３０】
図４は、スクイーズ記録の映像信号を再生する場合のアスペクト比設定（Ｓ１３）の詳細なフローチャートを示す。
【００３１】
記録形式が、スクイーズ記録ならば、ＤＶテープ２４から再生される映像信号には、スクイーズ記録を示すスクイーズ識別信号が重畳されている。ＣＰＵ１８は、スクイーズ識別信号をオンにしたアスペクト比テストパターンをテストパターン生成装置３２から生成させる（Ｓ３０）。ＣＰＵ１８は、図５に示すよう再生映像信号から図６に示すようなテストパターン信号に切り替え、テストパターン信号を表示部２８とテレビジョン５０の両方に表示させる（Ｓ３１）。
【００３２】
テレビジョン５０がスクイーズ記録に対応していれば、テレビジョン５０には表示部２８と同じアスペクト比で同じ映像が表示される。例えば、図５に示すような映像を再生表示している状態で、図６に示すような映像のアスペクト比テストパターン信号を表示部２８とディスプレイ５０の両方に表示させる。
【００３３】
ユーザは、表示部２８とテレビジョン５０に表示されるアスペト比テストパターン信号の画面を見て、テレビジョン５０の表示が正しいかどうかを判定する（Ｓ３２）。そして、手元の操作部２６の所定スイッチで「はい」か「いいえ」を選択し、ＣＰＵ１８に入力する。
【００３４】
テレビジョン５０の表示が正しい場合、アスペト比テストパターンの出力を止めて、再生映像の表示に戻る（Ｓ３３）。また、テレビジョン５０の表示が正しくない場合、ＣＰＵ１８は、映像出力形式をレターボックス形式に変更し（Ｓ３４）、アスペト比テストパターンの出力を止めて、元の再生映像（図５）の表示に戻る（Ｓ３３）。すなわち、テレビジョン５０の表示が正しい場合、ビデオカメラ１０は、スクイーズ記録の再生映像をそのまま出力し、テレビジョン５０の表示が正しくない場合には、ビデオカメラ１０は、スイーズ記録の再生映像をレターボックス形式に変換して出力する。
【００３５】
図７は、レターボックス記録の映像信号を再生する場合のアスペクト比設定（Ｓ１３）の詳細なフローチャートを示す。
【００３６】
ＣＰＵ１８は、レターボックス識別信号をオンにしたアスペクト比テストパターンをテストパターン生成装置３２から生成させる（Ｓ４０）。このテストパターン信号が表示部２８とテレビジョン５０の両方に印加され、表示される（Ｓ４１）。
【００３７】
ユーザは、表示部２８とテレビジョン５０に表示されるアスペト比テストパターン信号の画面を見て、テレビジョン５０の表示が正しいかどうかを判定する（Ｓ４２）。そして、手元の操作部２６の所定スイッチで「はい」か「いいえ」を選択し、ＣＰＵ１８に入力する。
【００３８】
テレビジョン５０の表示が正しい場合、アスペクト比テストパターン信号の出力を止めて、再生映像の表示に戻る（Ｓ４３）。また、テレビジョン５０の表示が正しくない場合、ＣＰＵ１８は、テレビジョン５０の設定変更を促すメッセージを表示部２８及び／又はテレビジョン５０に所定時間、表示し（Ｓ４４）、アスペクト比テストパターンの出力を止めて、元の再生映像の表示に戻る（Ｓ４３）。すなわち、テレビジョン５０の表示が正しいか否かに関わらず、ビデオカメラ１０は、レターボックス記録の再生映像をそのまま出力し、テレビジョン５０の表示が正しくない場合には、テレビジョン５０の設定に任せる。
【００３９】
外部映像表示装置としてテレビジョン５０を例示したが、映像モニタであってもよい。
【００４０】
本実施例では、設定保存部３４に設定値を保存するので、接続の都度、マニュアル設定する手間を軽減できる。初回時には、デジタルビデオカメラ１０とテレビジョン５０のアスペクト比の設定を行わなくてはいけないが、２回目以降には、設定保存部３４にアスペクト比の設定値が保存されるので、面倒な設定を省くことができる。
【図面の簡単な説明】
【００４１】
【図１】本発明の一実施例の概略構成ブロック図である。
【図２】本実施例の主要な動作のフローチャートである。
【図３】設定保存の画面例である。
【図４】スクイーズ記録に対するアスペクト比設定のフローチャートである。
【図５】再生画面例である。
【図６】表示確認の画面例である。
【図７】スクイーズ記録に対するアスペクト比設定のフローチャートである。
【図８】レターボックス記録のイメージ図である。
【図９】スクイーズ記録のイメージ図である。
【図１０】レターボックス記録時に、アスペクト比４：３の映像をアスペクト比１６：９で表示する表示例である。
【符号の説明】
【００４２】
１０  デジタルビデオカメラ
１２  撮像部
１４  信号処理部
１６  フレームメモリ
１８  ＣＰＵ（中央演算処理装置）
２０  ＤＶコーデック
２２  テープＩ／Ｆ
２４  ＤＶテープ
２６  操作部
２８  表示部
３０  ビデオ出力端子
３２  テストパターン生成部
３４  設定保存部
５０  テレビジョン
【図１】
2007124275.tif 000003
【図２】
2007124275.tif 000004
【図３】
2007124275.tif 000005
【図４】
2007124275.tif 000006
【図５】
2007124275.tif 000007
【図６】
2007124275.tif 000008
【図７】
2007124275.tif 000009
【図８】
2007124275.tif 000010
【図９】
2007124275.tif 000011
【図１０】
2007124275.tif 000012